(57)【特許請求の範囲】
【請求項１】
内部にガスバーナを収容するコンロ本体と、前記ガスバーナに対応するバーナ用開口を有してコンロ本体の上部を閉塞する天板とを備え、前記天板をカウンタトップ上に露出状態として前記コンロ本体を前記カウンタトップに形成されたコンロ設置用開口に落とし込むことにより該カウンタトップに着脱自在に装着され、前記天板が前記コンロ本体の上部に一体的に連結されていて、前記カウンタトップから前記コンロ本体を取り外すことにより卓上コンロとして使用可能となるガスコンロにおいて、
前記コンロ本体は、帯板状のアルミニウム製押出し成形材をその長手方向両端部同士で突き当てることにより筒状に形成されたものであり、上端部全周に形成されて前記コンロ設置用開口の周縁に掛止可能に膨出する膨出部と、該膨出部の内側に形成されて前記天板を一体的に保持する天板保持部と、前記膨出部の下端に一体に連設された周壁部とを備え、
前記天板保持部は、その上端から前記コンロ本体の内方に向かって張り出して前記天板の上面に当接する当接部と、該当接部に対向する下方に形成されて該天板保持部に前記天板を装着可能とする開放部とを備えることを特徴とするガスコンロ。
【請求項２】
前記コンロ本体の前記膨出部には、コンロ本体の外部と内部とで通気自在となる通気口が形成されていることを特徴とする請求項１記載のガスコンロ。
【請求項３】
前記コンロ本体の前記膨出部には、前記周壁部の外側に空隙を存して該膨出部の下面から垂下する垂下壁が連設されていることを特徴とする請求項１又は２記載のガスコンロ。
【請求項４】
前記コンロ本体は、前記膨出部と前記カウンタトップとの間に介設して該膨出部を支持する支持部材を着脱自在に備え、
該支持部材は、前記カウンタトップの前記コンロ設置用開口に沿った上面に着座させる着座部と、該着座部から起立して前記垂下壁と前記周壁部との間の前記空隙に入り込む起立壁とを備えることを特徴とする請求項３記載のガスコンロ。
【発明の詳細な説明】
【技術分野】
【０００１】
本発明は、カウンタトップに装着して使用することができ、また、カウンタトップから取り外して卓上コンロとして使用することができるガスコンロに関する。
【背景技術】
【０００２】
ドロップイン式コンロは、内部にガスバーナを収容したコンロ本体が、カウンタトップに形成されたコンロ設置用開口に落とし込んで装着され、更に、該コンロ本体の上部を覆うようにしてカウンタトップ上に天板が載置される（例えば、特許文献１参照）。
【０００３】
一方、ドロップイン式コンロとして使用可能であるだけでなく、必要に応じてカウンタトップから取り外して卓上コンロとしての使用が可能となるガスコンロが知られている（例えば、特許文献２参照）。このものでは、コンロ本体の上部に天板が連結された状態で、カウンタトップから容易に取り外せるようになっている。また、この種のコンロ本体は一般にスチール製やステンレス製の板材により形成されている。
【０００４】
しかし、ドロップイン式コンロとして使用時には、コンロ本体がカウンタトップのコンロ設置用開口に落とし込まれているので支障はないが、卓上コンロとして使用時には、熱くなったコンロ本体が露出するため、コンロ本体に使用者が接触した場合に、使用者に対して熱さによる不快感を与えるおそれがある。
【０００５】
そこで、特許文献２においては、卓上コンロとして使用時に、コンロ本体を覆う化粧ケースを装着し、使用者が直接コンロ本体に接触しないようにしている。
【先行技術文献】
【特許文献】
【０００６】
【特許文献１】特開２００５−３２８８号公報（図２）
【特許文献２】実公昭５６−４１１３５号公報
【発明の概要】
【発明が解決しようとする課題】
【０００７】
しかし、上記特許文献２のものでは、卓上コンロとして使用する度にコンロ本体に化粧ケースを装着しなければならず、その作業が煩わしい。このため、使い勝手が悪いだけでなく、化粧ケースを装着することなく卓上コンロとして使用されることも考えられる。
【０００８】
また、コンロ本体をコンロ本体と別部材である化粧ケースで覆うと、コンロ本体による放熱効果が十分に得られず、コンロ本体の温度が過剰に高くなると、コンロ本体の形状に熱による歪みが生じて、卓上コンロとして使用時に安定性が悪化するおそれがある。或いは、コンロ本体の温度が過剰に高くなった場合には、コンロ本体の内部に収容されているガスコックや電装部品等が熱による影響を受けるおそれがあるため、好ましくない。
【０００９】
更に、この種のガスコンロは、コンロ本体の放熱が不十分であり、天板からの熱をコンロ本体に伝達させて分散させて天板の温度を低下させる作用も望めないため、天板が極めて熱くなるおそれがある。
【００１０】
上記の点に鑑み、本発明は、コンロ本体の温度上昇を抑制してその熱による影響を軽減することができ、カウンタトップに装着した場合と卓上コンロとした場合との何れにおいても好適に使用することができるガスコンロを提供することを目的とする。
【課題を解決するための手段】
【００１１】
本発明は、内部にガスバーナを収容するコンロ本体と、前記ガスバーナに対応するバーナ用開口を有してコンロ本体の上部を閉塞する天板とを備え、前記天板をカウンタトップ上に露出状態として前記コンロ本体を前記カウンタトップに形成されたコンロ設置用開口に落とし込むことにより該カウンタトップに着脱自在に装着され、前記天板が前記コンロ本体の上部に一体的に連結されていて、前記カウンタトップから前記コンロ本体を取り外すことにより卓上コンロとして使用可能となるガスコンロにおいて、前記コンロ本体は、帯板状のアルミニウム製押出し成形材をその長手方向両端部同士で突き当てることにより筒状に形成されたものであり、上端部全周に形成されて前記コンロ設置用開口の周縁に掛止可能に膨出する膨出部と、該膨出部の内側に形成されて前記天板を一体的に保持する天板保持部と、前記膨出部の下端に一体に連設された周壁部とを備え、前記天板保持部は、その上端から前記コンロ本体の内方に向かって張り出して前記天板の上面に当接する当接部と、該当接部に対向する下方に形成されて該天板保持部に前記天板を装着可能とする開放部とを備えることを特徴とする。
【００１２】
本発明のガスコンロは、カウンタトップのコンロ設置用開口の周縁に膨出部を掛止することでカウンタトップに着脱自在に装着される。そして、本発明のガスコンロは、コンロ本体が、帯板状のアルミニウム製押出し成形材により筒状に形成されているので、例えば、スチール製やステンレス製の板材により形成された従来のコンロ本体に比べて熱の分散作用及び放熱効果が極めて高いものとなっている。しかも、アルミニウム製押出し成形材によることにより、コンロ本体における歪みの発生が極めて少ないので卓上で安定して使用することができる。なお、押出し成形材は引抜き成形材と呼ばれる場合もあるため本発明においては引抜き成形材も含むものとする。
【００１３】
また、本発明のコンロ本体は、その上端部に形成された天板保持部に天板を取り付けるとき、天板保持部の下方から前記開放部を介して天板を装着して当接部に当接させる。前記開放部には、天板を固定するための固定部材を取り付けることができ、固定部材として、例えば、コーキング材を開放部に充填することにより天板保持部に天板を固定保持することができる。このような構造を採用したことにより、コンロ本体を複数個の部品に分割する必要がなく、部品点数の増加と強度低下を防止している。
【００１４】
また、天板は、通常、バーナの輻射熱により加熱されるが、天板保持部に形成されている当接部が天板の上面に当接していることにより、天板からコンロ本体に伝達された熱は、コンロ本体の周壁部の全周にわたって効率良く伝達分散され、更に周壁部において比較的広い面積により放熱される。これにより、天板が極度に高温となることが防止できるだけでなく、コンロ本体に伝達された熱を効率良く放熱してコンロ本体の温度上昇も抑制することができる。
【００１５】
また、本発明においては、コンロ本体に前記膨出部が設けられていることにより、この膨出部に、コンロ本体の外部と内部とで通気自在となる通気口を形成することができる。前記膨出部は、カウンタトップのコンロ設置用開口の周縁に掛止することによりカウンタトップ上に露出する。これにより、コンロ本体の内部に収容されているガスバーナに前記膨出部を介して円滑に燃焼用空気を供給することができる。
【００１６】
また、本発明において、前記コンロ本体の前記膨出部に、前記周壁部の外側に空隙を存して該膨出部の下面から垂下する垂下壁が連設することが好ましい。これによれば、前記膨出部の強度を前記垂下壁により向上させることができるので、前記膨出部を垂下壁を介してカウンタトップのコンロ設置用開口の外周に掛止させて、ガスコンロの荷重を強固に支えることができる。
【００１７】
また、本発明において、前記コンロ本体は、前記膨出部と前記カウンタトップとの間に介設して該膨出部を支持する支持部材を着脱自在に備え、該支持部材は、前記カウンタトップの前記コンロ設置用開口に沿った上面に着座させる着座部と、該着座部から起立して前記垂下壁と前記周壁部との間の前記空隙に入り込む起立壁とを備えることを特徴とする。
【００１８】
前記支持部材を設けることにより、例えば、カウンタトップ上に零れた水等を起立壁により堰き止めることができ、コンロ設置用開口の内部への水等の侵入を防止することができる。また、カウンタトップに形成された既存のコンロ設置用開口の大きさがコンロ本体の形状と合致してず、コンロ設置用開口の内周縁とコンロ本体の膨出部との間に間隙が生じる場合には、前記着座部を前記間隙を覆う大きさに形成しておくことにより、大きさの合わない既存のコンロ設置用開口にガスコンロを支障なく装着することができる。
【図面の簡単な説明】
【００１９】
【図１】本発明の実施形態のガスコンロの説明的平面図。
【図２】本発明の実施形態のガスコンロの説明的側面図。
【図３】図１のガスコンロの要部の断面説明図。
【図４】コンロ本体の説明的斜視図。
【図５】支持部材に固定ピンを取り付けた状態の説明的断面図。
【図６】他の実施形態のガスコンロの要部を断面視して示す説明図。
【図７】他の実施形態のガスコンロの要部を断面視して示す説明図。
【発明を実施するための形態】
【００２０】
本実施形態のガスコンロ１は、図１に示すように、システムキッチンのカウンタトップ２に装着して所謂ドロップイン式コンロとして使用可能となっており、また、カウンタトップ２から取り外し、図２において側面を示すように、例えば、ダイニングテーブル３等に載置すれば、脚部材４により自立して所謂卓上コンロとして使用可能となるものである。
【００２１】
ガスコンロ１は、図１及び図２に示すように、箱形のコンロ本体５と板状の天板６とを備えている。コンロ本体５は、図３に示すように、カウンタトップ２に形成されたコンロ設置用開口７に落とし込まれる四角筒状の周壁部８を備え、その内部に図示しないバーナの本体を収容する。周壁部８の上端部には、膨出部９が全周に形成されており、周壁部８の下端部には底板１０を連結する底板連結部１１が形成されている。また、膨出部９の内側には、天板を保持する天板保持部１２が形成されている。なお、周壁部８には、コンロ設置用開口７の内周壁に当接してコンロ本体５との間に空隙を形成することにより、コンロ設置用開口７に落とし込まれた状態のコンロ本体５の過熱を防止するビード１３が形成されている。
【００２２】
膨出部９は、周壁部８の外側に張り出す下面部１４と、下面部１４の先端縁から起立する側面部１５とで構成されている。また、下面部１４の下方には垂下壁１６が連接されている。そして、膨出部９は、後述の支持部材２６を介してコンロ設置用開口７の周縁上面に掛止される。
【００２３】
天板保持部１２は、膨出部９の内側の上部側に配設されており、膨出部９の側面部１５の上端からコンロ本体５の内方に向かって張り出して天板６の上面に当接する第１当接部１７（当接部）と、第１当接部１７の基端から下方に連続して天板６の側端面の略上半部に当接する第２当接部１８とを備えている。第２当接部１８の下方（第１当接部１７と対向する下方）は開放されており、この開放部１９には天板６を接着固定するコーキング材２０が充填される。
【００２４】
また、図２及び図３に示すように、膨出部９の側面部１５を通気自在に開口させた通気口２１が所定間隔を存して複数設けられている。通気口２１は、膨出部９の前後左右側の側面部１５、或いは膨出部９の何れかの側の側面部１５に選択的に配設することができ、カウンタトップ２に装着したときに通気口２１を視認し難くして外観を向上させる場合には、通気口２１をコンロ本体５の背面側に位置する膨出部９の側面部１５にのみ設けることもできる。
【００２５】
更に、図３に示すように、周壁部８の上端と膨出部９の下面部１４との境界に沿って上方に突出する凸条２２が形成されている。凸条２２は、通気口２１から膨出部９の内部に入り込んだ水等を堰き止めることができので、通気口２１を介して水等がコンロ本体内部へ侵入することを防止することができる。
【００２６】
コンロ本体５は、帯板状のアルミニウム合金製の押出し成形材により形成されている。即ち、アルミニウム合金材料からの押出し成形により、周壁部８、膨出部９、底板連結部１１、及び天板保持部１２を備える帯板を形成し、図４に示すように、この帯板を略四角形の環状に折り曲げてその両端部５ａ，５ｂを突き当てることにより、四角筒状のコンロ本体５が形成される。両端部５ａ，５ｂの突き当て部分は、図示しないが、ジョイント部材や溶接等により接合される。なお、通気口２１は、押出し成形された後であって、四角筒状に折り曲げる前工程において適宜位置に穿設される。
【００２７】
四角筒状のコンロ本体５に天板６を組み付けるときには、図３を参照して、コンロ本体５に底板１０を取り付けるに先立って、その下方からコンロ本体５の内部に天板６を投入し、前記天板保持部１２の開放部１９を経て第１当接部１７と第２当接部１８とに天板６を当接させる。その後、開放部１９にコーキング材２０を充填することにより、天板６は、天板保持部１２において強固に保持された状態が維持される。このように、コンロ本体５の天板保持部１２に天板６を取り付けるとき、天板保持部１２の下方から前記開放部１９を介して天板６を装着することができるので、コンロ本体５を複数個の部品に分割する必要がなく、部品点数の増加と強度低下とを防止することができる。
【００２８】
天板６は、耐熱ガラスや金属により平板状に形成されており、図１に示すように、コンロ本体５に収容されているバーナ本体の上部に連接されて火炎を形成するバーナヘッド２３，２３が上面に露出する。そして、天板６上に、各バーナヘッド２３を囲うようにして五徳２４，２４を載置すると共に、天板６の前側に、各バーナ用の操作摘み２５，２５を配置している。
【００２９】
なお、図２に一部を示すように、コンロ本体５の内部に設けられたガス供給管２５ａは、ガスホースＨを接続する接続端部２５ｂ側が所定角度（例えば水平に対して２０°）で傾斜して設けられており、これによって、卓上コンロとして使用時にガスホースＨの極度な折れ曲がりによるガス供給不良の発生を防止している。
【００３０】
以上のように、本実施形態のガスコンロ１は、コンロ本体５が、帯板状のアルミニウム製押出し成形材により筒状に形成されているので、例えば、スチール製やステンレス製の板材により形成された従来のコンロ本体に比べて熱の分散作用及び放熱効果が極めて高い。
【００３１】
また、天板６は、バーナヘッド２３，２３の外周に形成される火炎の輻射熱により加熱されるが、図３に示すように、天板保持部１２の第１当接部１７が天板の上面に当接していることにより、天板６からコンロ本体５に伝達された熱は、コンロ本体５の周壁部８の全周にわたって効率良く伝達分散され、更に周壁部８において比較的広い面積により放熱される。これにより、天板６が極度に高温となることが防止できるだけでなく、コンロ本体に伝達された熱を効率良く放熱してコンロ本体５の温度上昇も抑制することができる。従って、熱の影響によりコンロ本体５の歪みの発生が極めて少ないので卓上で安定して使用することができる。更に、コンロ本体５の周壁部８の熱引性が良いので、使用者がコンロ本体５に触れたときに、熱さによる不快感を軽減させることができる。
【００３２】
また、カウンタトップ２にコンロ本体５を装着した状態のとき、システムキッチンの内部の気密性が高いと、コンロ本体５の内部に収容したバーナ本体への燃焼空気の供給が不十分となることが考えられるが、本実施形態のように、前記膨出部９に形成された通気口２１を介して外部の空気をコンロ本体５内部に燃焼空気として取り入れることができるので、バーナを良好に燃焼させることができる。
【００３３】
また、図１及び図３に示すように、コンロ本体５の膨出部９とカウンタトップ２のコンロ設置用開口７との間には、支持部材２６が介設されている。支持部材２６は、カウンタトップ２のコンロ設置用開口７に沿った上面に着座させる着座部２７と、該着座部２７から起立して前記垂下壁１６と前記周壁部８との間の空隙に入り込む起立壁２８とを備えている。
【００３４】
着座部２７は、カウンタトップ２上にシールパッキン２９を介して着座させることによりカウンタトップ２に密着した状態とされると共に、起立壁２８が起立して設けられていることにより、コンロ設置用開口７から内部への水等の侵入を防止することができる。
【００３５】
ところで、コンロ設置用開口７の大きさは大小様々である。このため、コンロ設置用開口７が過剰に大きく、コンロ設置用開口７の口縁部に膨出部９を掛止することができない場合がある。そこで、支持部材２６の着座部２７は、図５に示すように、コンロ設置用開口７と膨出部９との間隙を覆うように比較的大きく形成されている。これによれば、コンロ設置用開口７の口縁部に膨出部９を掛止することができなくても、支持部材２６の着座部２７を介して起立壁２８に膨出部９を掛止させることができる。
【００３６】
更に、支持部材２６の着座部２７は、その裏面側に固定ピン３０が取り付け自在となる複数のピン取り付け部３１が所定間隔を存して設けられている。詳しく説明すれば、各ピン取り付け部３１は、雌ネジを備える穴であり、固定ピン３０はピン取り付け部３１に螺着自在の螺着部３２を備えている。
【００３７】
そして、コンロ設置用開口７の内周壁の位置に対応させてピン取り付け部３１に固定ピン３０を取り付けることにより、コンロ設置用開口７に対して支持部材２６を確実に装着させることができ、コンロ設置用開口７に対して支持部材２６及びコンロ本体５の位置ずれ等を確実に防止することができる。
【００３８】
また、本実施形態においては、コンロ設置用開口７の大小に関わらず前記支持部材２６を介してコンロ本体５をカウンタトップ２に装着した例を示したが、コンロ設置用開口７の口縁部に膨出部９を掛止することができる場合には、図６に示すように、支持部材２６を用いなくてもよい。この場合には、垂下壁１６と周壁部８との間にシールパッキン３３を嵌合させて取り付け、このシールパッキン３３を介してコンロ設置用開口７の口縁部に膨出部９を掛止させることにより、カウンタトップ２と膨出部９との間からコンロ設置用開口７の内側への水等の侵入を防止することができる。
【００３９】
また、それ以外に、コンロ設置用開口７の口縁部に膨出部９を掛止することができる場合には、膨出部９の下面部１４に垂下壁１６を設けず、コンロ設置用開口７の口縁部にシールパッキン３４を介して膨出部９の下面部１４を着座させるようにしてもよい。
【符号の説明】
【００４０】
１…ガスコンロ、２…カウンタトップ、５…コンロ本体、６…天板、７…コンロ設置用開口、８…周壁部、９…膨出部、１２…天板保持部、１６…垂下壁、１７…第１当接部、１９…開放部、２０…コーキング材、２１…通気口、２６…支持部材、２７…着座部、２８…起立壁。
【図１】
0005213931.tif 000002
【図２】
0005213931.tif 000003
【図３】
0005213931.tif 000004
【図４】
0005213931.tif 000005
【図５】
0005213931.tif 000006
【図６】
0005213931.tif 000007
【図７】
0005213931.tif 000008